(57)【要約】【課題】本発明は、波長分散を広帯域に渡って同時に測定することができる波長分散測定方法及びその装置を提供することを目的とするものである。【解決手段】光成分の周波数間隔が互いに異なるコヒーレントな第１及び第２光コム信号２２ａ，２４ａを用いる。第１及び第２光コム信号２２ａ，２４ａを光混合器３に直接入力した際の光混合器３の出力から第１及び第２光コム信号２２ａ，２４ａのビート信号である基準信号を取り出す。また、長距離伝送ファイバ１を通して第１光コム信号２２ａを光混合器３に入力するとともに、第２光コム信号２４ａを光混合器３に直接入力した際の光混合器の出力から第１及び第２光コム信号２２ａ，２４ａのビート信号である基準信号を取り出す。基準信号と測定信号との比較により、第１光コム信号２２ａの各光成分の波長分散情報を得る。【選択図】図１
2015200534.tif 000002
【特許請求の範囲】
【請求項１】
被測定光ファイバを通過したときの光信号の波長分散を測定する波長分散測定方法であって、
所定の周波数間隔で離散された複数の光成分をそれぞれ含むとともに前記周波数間隔が互いに異なる第１及び第２光コム信号を生成する工程と、
前記被測定光ファイバを通して前記第１光コム信号を前記光混合器に入力するとともに、前記第２光コム信号を前記光混合器に直接入力し、該光混合器の出力から前記第１及び第２光コム信号のビート信号である測定信号を取り出す工程と、
前記第１及び第２光コム信号を光混合器に直接入力した際の前記光混合器の出力から取り出された前記第１及び第２光コム信号のビート信号である基準信号と前記測定信号との比較により、前記第１光コム信号が前記被測定光ファイバを通過した際の前記第１光コム信号の各光成分の波長分散情報を得る工程と
を含む波長分散測定方法。
【請求項２】
前記被測定光ファイバを通して前記第１光コム信号を前記光混合器に入力する際、前記被測定光ファイバの終端で反射された前記第１光コム信号を前記光混合器に入力することを特徴とする請求項１記載の波長分散測定方法。
【請求項３】
被測定光ファイバを通過したときの光信号の波長分散を測定する波長分散測定装置であって、
所定の周波数間隔で離散された複数の光成分をそれぞれ含むとともに前記周波数間隔が互いに異なる第１及び第２光コム信号を生成する生成手段と、
前記生成手段に接続された光混合器と、
前記生成手段と前記光混合器の入力端との間に介在され、前記第１光コム信号を前記光混合器に直接入力するか又は前記被測定光ファイバを通して前記第１光コム信号を前記光混合器に入力するかで、前記光混合器への前記第１光コム信号の入力を切り替える光スイッチと、
前記光スイッチと並列に前記生成手段と前記光混合器の入力端との間に介在され、前記第２光コム信号を前記光混合器に直接入力する接続線と、
前記光混合器の出力端に接続され、前記光混合器の出力から前記第１及び第２光コム信号のビート信号を取り出す取出手段と
を備え、
前記光スイッチにより前記第１光コム信号が前記光混合器に直接入力された際の前記ビート信号を基準信号とするとともに、前記光スイッチにより前記第１光コム信号が前記被測定光ファイバを通して前記光混合器に入力された際の前記ビート信号を測定信号として、前記基準信号と前記測定信号との比較により、前記第１光コム信号が前記被測定光ファイバを通過した際の前記第１光コム信号の各光成分の波長分散情報を得るように構成されている
ことを特徴とする波長分散測定装置。
【請求項４】
前記光スイッチと前記被測定光ファイバとの間に介在され、前記生成手段からの前記第１光コム信号を前記被測定光ファイバに入力するとともに、前記被測定光ファイバの終端で反射された前記第１光コム信号を前記光混合器に入力する送受分離器をさらに備えていることを特徴とする請求項３記載の波長分散測定装置。
【発明の詳細な説明】
【技術分野】
【０００１】
本発明は、被測定光ファイバを通過したときの光信号の波長分散を測定する波長分散測定方法及びその装置に関する。
【背景技術】
【０００２】
光通信は日本のデータ通信の根幹を担っており、より高速・広帯域化が求められている。光ファイバを用いた広帯域光信号伝送では、光ファイバの受ける外力により広帯域光伝送信号伝送にとって重大な弊害となる様々な効果が生じる。そのような効果の一つとして、波長分散がある。波長分散は、光信号が伝送路を通過する際の伝搬速度の波長による差と定義され、屈折率の波長依存や、圧力、振動、音、曲げ、捻れ及び温度変化等の光ファイバに対するさまざまな外圧が原因となり生じる。波長分散は、光ファイバが風で揺れても生じてしまうため、今後さらに進展するであろう高速通信を行うにあたり実時間での補償技術の確立が重要である。
【０００３】
従来用いられていたこの種の波長分散測定方法としては、例えば下記の非特許文献１等に示されている方法を挙げることができる。すなわち、従来方法としては、波長可変光源からの出力光に強度変調を加えて、被測定光ファイバ通過後の波長依存性をマイクロ波ネットワークアナライザ等で測定する変調位相シフト法や、波長可変光源の波長を掃引し干渉計で測定する（干渉計の２経路をそれぞれ参照経路と測定ファイバ経路とする）波長掃引干渉法が知られている。
【先行技術文献】
【非特許文献】
【０００４】
【非特許文献１】Agilent Technologies社のＨＰ、“CD（波長分散）測定”、［平成２６年４月３日検索］、インターネット＜URL： http://www.home.agilent.com/agilent/editorial.jspx?ckey=803437&id=803437&lc=jpn&cc=JP ＞
【発明の概要】
【発明が解決しようとする課題】
【０００５】
上記のような従来方法では、試験光の波長を掃引しつつ波長分散を測定するので、波長分散を広帯域に渡って同時に測定することが難しい。
【０００６】
本発明は、上記のような課題を解決するためになされたものであり、その目的は、波長分散を広帯域に渡って同時に測定することができる波長分散測定方法及びその装置を提供することである。
【課題を解決するための手段】
【０００７】
本発明に係る波長分散測定方法は、所定の周波数間隔で離散された複数の光成分をそれぞれ含むとともに周波数間隔が互いに異なる第１及び第２光コム信号を生成する工程と、被測定光ファイバを通して第１光コム信号を光混合器に入力するとともに、第２光コム信号を光混合器に直接入力し、該光混合器の出力から第１及び第２光コム信号のビート信号である測定信号を取り出す工程と、第１及び第２光コム信号を光混合器に直接入力した際の光混合器の出力から取り出された第１及び第２光コム信号のビート信号である基準信号と測定信号との比較により、第１光コム信号が被測定光ファイバを通過した際の第１光コム信号の各光成分の波長分散情報を得る工程とを含む。
【０００８】
また、本発明に係る波長分散測定装置は、所定の周波数間隔で離散された複数の光成分をそれぞれ含むとともに周波数間隔が互いに異なる第１及び第２光コム信号を生成する生成手段と、生成手段に接続された光混合器と、生成手段と光混合器の入力端との間に介在され、第１光コム信号を光混合器に直接入力するか又は被測定光ファイバを通して第１光コム信号を光混合器に入力するかで、光混合器への第１光コム信号の入力を切り替える光スイッチと、光スイッチと並列に生成手段と光混合器の入力端との間に介在され、第２光コム信号を光混合器に直接入力する接続線と、光混合器の出力端に接続され、光混合器の出力から第１及び第２光コム信号のビート信号を取り出す取出手段とを備え、光スイッチにより第１光コム信号が光混合器に直接入力された際のビート信号を基準信号とするとともに、光スイッチにより第１光コム信号が被測定光ファイバを通して光混合器に入力された際のビート信号を測定信号として、基準信号と測定信号との比較により、第１光コム信号が被測定光ファイバを通過した際の第１光コム信号の各光成分の波長分散情報を得るように構成されている。
【発明の効果】
【０００９】
本発明の波長分散測定方法及びその装置によれば、光成分の周波数間隔が互いに異なるコヒーレントな第１及び第２光コム信号を用い、第１及び第２光コム信号のビート信号から第１光コム信号の各光成分の波長分散情報を得るので、波長分散を広帯域に渡って同時に測定することができる。
【図面の簡単な説明】
【００１０】
【図１】本発明の実施の形態１による波長分散測定方法を実施するための波長分散測定装置を示すブロック図である。
【図２】図１の第１及び第２光コム信号を示す説明図である。
【図３】図１の波長分散測定装置を用いての波長分散測定方法を示すフローチャートである。
【図４】本発明の実施の形態２による波長分散測定方法を実施するための波長分散測定装置を示すブロック図である。
【発明を実施するための形態】
【００１１】
以下、本発明を実施するための形態について、図面を参照して説明する。
実施の形態１．
図１は本発明の実施の形態１による波長分散測定方法を実施するための波長分散測定装置を示すブロック図であり、図２は図１の第１及び第２光コム信号２２ａ，２４ａを示す説明図である。図１において、波長分散測定装置は、長距離伝送ファイバ１（被測定光ファイバ）を通過したときの光信号の波長分散を測定する装置である。この波長分散測定装置には、生成手段２、光混合器３、光スイッチ４、接続線５及び取出手段６が含まれている。
【００１２】
生成手段２には、レーザ光源２０、光分配器２１、第１光コム信号発生器２２、第１シンセサイザ２３、第２光コム信号発生器２４及び第２シンセサイザ２５が含まれている。レーザ光源２０は、帯域幅が狭い単一の光成分からなる狭線幅レーザ２０ａを出力する。レーザ光源２０からの狭線幅レーザ２０ａは、光分配器２１で分配されて、第１及び第２光コム信号発生器２２，２４に入力される。
【００１３】
第１及び第２光コム信号発生器２２，２４は、第１及び第２シンセサイザ２３，２５の制御に応じてコヒーレントな第１及び第２光コム信号２２ａ，２４ａを生成する。光コム信号とは、所定の周波数間隔（等間隔）で離散された複数の光成分を含む光信号である。図２に示すように、第１及び第２光コム信号２２ａ，２４ａは、光成分の周波数間隔が互いに異なる光信号である。以下、第１光コム信号２２ａの光成分の周波数間隔をＦとし、第２光コム信号２４ａの光成分の周波数間隔をＦ＋ｆとする。周波数ｆは、周波数Ｆに比べ非常に低い周波数である。例えば、周波数Ｆを２５ＧＨｚとすると、周波数ｆは５０ｋＨｚ等である。すなわち、第１光コム信号２２ａの光成分の周波数間隔と第２光コム信号２４ａの光成分の周波数間隔との差は僅かである。
【００１４】
図１に戻り、光混合器３は、光スイッチ４及び接続線５を介して第１及び第２光コム信号発生器２２，２４に接続されている。
【００１５】
光スイッチ４は、生成手段２と光混合器３の入力端との間に介在されている。具体的には、光スイッチ４は、第１光コム信号発生器２２と光混合器３の入力端との間に介在されている。光スイッチ４は、第１光コム信号発生器２２からの第１光コム信号２２ａを光混合器３に直接入力するか又は長距離伝送ファイバ１を通して第１光コム信号２２ａを光混合器３に入力するかで、光混合器３への第１光コム信号２２ａの入力を切り替える。本実施の形態では、長距離伝送ファイバ１の終端は光混合器３の入力端に接続されている。
【００１６】
接続線５は、光スイッチ４と並列に生成手段２と光混合器３の入力端との間に介在されている。具体的には、接続線５は、第２光コム信号発生器２４と光混合器３の入力端との間に介在されている。接続線５は、第２光コム信号発生器２４からの第２光コム信号２４ａを光混合器３に直接入力する。
【００１７】
なお、第１及び第２光コム信号２２ａ，２４ａを光混合器３に直接入力するとは、長距離伝送ファイバ１を通さずに第１及び第２光コム信号２２ａ，２４ａを光混合器３に入力することを意味する。
【００１８】
光混合器３は、第１光コム信号２２ａと第２光コム信号２４ａとを混合する。光混合は、光分配と可逆の動作である。
【００１９】
取出手段６には、低周波光検出器６０とＦＦＴ位相検出器６１（高速フーリエ変換位相検出器）とが含まれている。低周波光検出器６０は、光混合器３の出力に含まれる第１及び第２光コム信号２２ａ，２４ａのビート信号６０ａを取り出す。このビート信号６０ａは、第１及び第２光コム信号２２ａ，２４ａの各光成分の周波数差ｆ，２ｆ，３ｆ…ｎｆ（ｎは４以上の自然数）（図２参照）の周波数をそれぞれ有する複数の信号成分からなる信号であり、低周波マイクロ波コム信号として取り出すことができる。ＦＦＴ位相検出器６１は、ビート信号６０ａのそれぞれの信号成分の位相を検出する。
【００２０】
次に、図３は、図１の波長分散測定装置を用いての波長分散測定方法を示すフローチャートである。図１の波長分散測定装置を用いて長距離伝送ファイバ１を通過したときの光信号の波長分散を測定するには、まず、生成手段２により第１及び第２光コム信号２２ａ，２４ａを生成する（ステップＳ１）。
【００２１】
その次に、光スイッチ４を制御して、長距離伝送ファイバ１を通さずに第１及び第２光コム信号２２ａ，２４ａを光混合器３に入力するとともに、そのときの光混合器３の出力から低周波光検出器６０により第１及び第２光コム信号２２ａ，２４ａのビート信号６０ａを取り出す（ステップＳ２）。このビート信号６０ａは、長距離伝送ファイバ１を含まない状態における第１光コム信号２２ａの搬送路で第１光コム信号２２ａが受ける影響を含む信号であり、基準信号として扱われる。
【００２２】
その次に、光スイッチ４を制御して、長距離伝送ファイバ１を通して第１光コム信号２２ａを光混合器に入力するとともに、長距離伝送ファイバ１を通さずに第２光コム信号２４ａを光混合器３に入力し、そのときの光混合器３の出力から低周波光検出器６０により第１及び第２光コム信号２２ａ，２４ａのビート信号６０ａを取り出す（ステップＳ３）。このビート信号６０ａは、長距離伝送ファイバ１を通過した際に第１光コム信号２２ａが受けた影響を含む信号であり、測定信号として扱われる。
【００２３】
その次に、上述した基準信号と測定信号との比較により、第１光コム信号２２ａが長距離伝送ファイバ１を通過した際の第１光コム信号２２ａの各光成分の波長分散情報を得る（ステップＳ４）。具体的には、ＦＦＴ位相検出器６１により検出された基準信号の各信号成分の位相とＦＦＴ位相検出器６１により検出された測定信号の各信号成分の位相との比較により波長分散情報が得られる。
【００２４】
なお、波長分散測定装置の状態に大きな変化が無ければ、基準信号にも大きな変化は生じない。このため、適切なタイミングで基準信号の校正を行えば、必ずしも波長分散の測定毎に基準信号を得る必要はない。
【００２５】
このような波長分散測定方法及びその装置では、光成分の周波数間隔が互いに異なるコヒーレントな第１及び第２光コム信号２２ａ，２４ａを用い、第１及び第２光コム信号２２ａ，２４ａのビート信号から各光成分の波長分散情報を得るので、波長分散を広帯域に渡って同時に測定することができる。また、この構成を採ることで、高周波領域の波長分散をビート信号という低周波信号にて観測でき、波長分散の測定を容易に行うことができる。
【００２６】
実施の形態２．
次に、図４は、本発明の実施の形態２による波長分散測定方法を実施するための波長分散測定装置を示すブロック図である。本実施の形態２の波長分散測定装置は、実施の形態１の波長分散測定装置に送受分離器７を追加したものである。
【００２７】
図４に示すように、送受分離器７は、光スイッチ４と長距離伝送ファイバ１との間に介在されている。長距離伝送ファイバ１の終端には、反射器８が設けられている。送受分離器７は、第１光コム信号発生器２２（生成手段２）からの第１光コム信号２２ａを長距離伝送ファイバ１に入力するとともに、長距離伝送ファイバ１の終端で反射された第１光コム信号２２ａを光混合器３に入力する。第１光コム信号２２ａには長距離伝送ファイバ１を往復した際の波長分散が生じている。その他の構成は、実施の形態１と同様である。
【００２８】
このような波長分散測定方法及びその装置では、長距離伝送ファイバ１の終端で反射された第１光コム信号２２ａを光混合器３に入力するので、実際に敷設されている長距離伝送ファイバ１での波長分散を測定できる。
【符号の説明】
【００２９】
１  長距離伝送ファイバ（被測定光ファイバ）
２  生成手段
３  光混合器
４  光スイッチ
５  接続線
６  取出手段
７  送受分離器
２２ａ，２４ａ  第１及び第２光コム信号
６０ａ  ビート信号
【図１】
2015200534.tif 000003
【図２】
2015200534.tif 000004
【図３】
2015200534.tif 000005
【図４】
2015200534.tif 000006